(57)【要約】【課題】  画面分割することなく、返信メール作成時に、受信メール表示画面を確認できる携帯端末装置を提供する。【解決手段】  本発明の携帯端末装置は、表示画面における視野角が所定の角度以上である広視野角表示モードと、表示画面における視野角が所定の角度未満である狭視野角表示モードとの２種類の表示モードを切り替えて表示可能なメイン表示部１８と、実行されるアプリケーションプログラムの種類に応じて上記メイン表示部１８の表示モードを決定する表示モード指示取得部４１と、上記実行されるアプリケーションプログラムに応じた情報を、上記表示モード指示取得部４１によって決定された表示モードに基づいて、上記メイン表示部１８の、正面方位から視認される表示画面と、側面方位から視認される表示画面とに表示させる制御部２１とを備えている。【選択図】  図１
2006098556.tif 000002
【特許請求の範囲】
【請求項１】
電子メール送受信に代表される各種アプリケーションプログラムのうち、少なくとも１種類のアプリケーションプログラムが実行可能な携帯端末装置において、
表示画面における視野角が所定の角度以上である広視野角表示モードと、表示画面における視野角が所定の角度未満である狭視野角表示モードとの２種類の表示モードを切り替えて表示可能な表示部と、
実行されるアプリケーションプログラムの種類に応じて上記表示部の表示モードを決定する表示モード決定部と、
上記実行されるアプリケーションプログラムに応じた情報を、上記表示モード決定部によって決定された表示モードに基づいて、上記表示部の、正面方位から視認される表示画面及び側面方位から視認される表示画面に表示させる表示制御部とを備えていることを特徴とする携帯端末装置。
【請求項２】
上記表示制御部は、
上記表示モード決定部によって決定された表示モードが狭視野角表示モードであるときに、正面方位から視認される表示画面に表示させる情報と、側面方位から視認される表示画面とに表示させる情報とを異ならせることを特徴とする請求項１に記載の携帯端末装置。
【請求項３】
さらに、アプリケーションプログラムから、正面方位の表示画面に表示される情報と、側面方位の表示画面に表示される情報とを分離する情報分離部が設けられ、
上記表示制御部は、
上記情報分離部によって分離された情報を、上記表示モード決定部によって決定された表示モードに基づいて、正面方位の表示画面または側面方位の表示画面に振り分けて表示させることを特徴とする請求項２に記載の携帯端末装置。
【請求項４】
上記表示制御部は、
上記表示モード決定部によって決定された表示モードが狭視野角表示モードである場合、正面方位及び側面方位の表示画面に、実行されるアプリケーションプログラムに関連した情報を表示させる第１表示モードと、正面方位の表示画面に、実行されるアプリケーションプログラムに関連した情報を表示させると共に、側面方位の表示画面に、実行されるアプリケーションプログラムに関連しない情報を表示させる第２表示モードとを切り替えるモード切替手段を含んでいることを特徴とする請求項２に記載の携帯端末装置。
【請求項５】
電子メール送受信に代表される各種アプリケーションプログラムのうち、少なくとも１種類のアプリケーションプログラムが実行可能な携帯端末装置に備えられ、表示画面における視野角が所定の角度以上である広視野角表示モードと、表示画面における視野角が所定の角度未満である狭視野角表示モードとの２種類の表示モードを切り替えて表示可能な表示部の表示制御方法であって、
実行されるアプリケーションプログラムの種類に応じて上記表示部の表示モードを決定するステップと、
上記実行されるアプリケーションプログラムに応じた情報を、上記ステップによって決定された表示モードに基づいて、上記表示部の、正面方位から視認される表示画面と、側面方位から視認される表示画面とに表示させるステップとを含んでいることを特徴とする表示制御方法。
【請求項６】
請求項１から４の何れか１項に記載の携帯端末装置に備えられた表示部の表示制御プログラムであって、
コンピュータを、上記表示モード決定部、上記表示制御部、上記情報分離部、上記モード切替手段として機能させるための表示制御プログラム。
【請求項７】
請求項６に記載の表示制御プログラムが記録されたコンピュータ読取可能な記録媒体。
【発明の詳細な説明】
【技術分野】
【０００１】
本発明は、視線方向によって視認される画像が変わるモード切替可能な表示部を備えた携帯端末装置に関するものである。
【背景技術】
【０００２】
従来から、携帯電話機、ＰＤＡ（Personal Digital Assistant）などの携帯機器のディスプレイとして液晶ディスプレイ（ＬＣＤ）が広く利用されている。ＬＣＤは、ＣＲＴ（Cathode Ray Tube）、プラズマディスプレイなどに比べて、視野角が狭いことが欠点とされてきたが、近時のＬＣＤ技術の進歩により、視野角の広角化が進められている。
【０００３】
しかしながら、上記携帯機器は、電車やバスの車内などにおいて混雑した状況で利用した場合、上記携帯機器の表示画面に表示された内容が周囲の人に覗き見される虞がある。特に、電子メールの作成および閲覧を行う場合には、その内容が周囲の人に覗き見されることはプライバシー上好ましくない。
【０００４】
そこで、視野角を制御できるＬＣＤが提案されている（例えば、特許文献１〜４参照）。このようなＬＣＤでは、通常の広視野角モードと、視野角の狭い狭視野角モードとの何れか一方から他方に切替可能となっている。なお、狭視野角モードとは、ユーザのいる表示画面真正面からは通常どおりの表示画像が視認でき、斜め方向からは無地画像または別の画像が見えるモードである。
【特許文献１】特開平９−１０５９５８（公開日：１９９７年４月２２日）
【特許文献２】特開２００４−６２０９４（公開日：２００４年２月２６日）
【特許文献３】特開２００１−２６４７６８（公開日：２００１年９月２６日）
【特許文献４】特開２００４−３８０３５（公開日：２００４年２月５日）
【発明の開示】
【発明が解決しようとする課題】
【０００５】
ところで、一般に、携帯電話において電子メールを作成する場合、表示部は狭視野角モードに設定されている。これは、プライバシー上、正面方位からのみ電子メール作成画面が視認できるようにするためである。
【０００６】
このように、狭視野角モードでは、正面方位からのみ電子メールの作成画面が視認できるようになっていることから、受信した電子メールに対して返信操作を行う場合、受信メールを確認するには、現在の電子メール作成画面から受信メール画面に切り替えるか、あるいは受信メール表示画面と返信メール作成画面とを分割して表示する必要がある。
【０００７】
このため、受信画面と返信画面とを切り替える場合、返信メール作成時に、受信メールの内容が確認しづらいという問題が生じる。
【０００８】
また、受信メール表示画面と返信メール表示画面とを分割表示する場合、携帯情報端末では小型なディスプレイが多いので、それぞれの画面が小さくなり、見づらいという問題が生じる。
【０００９】
本発明は、上記の各問題点に鑑みてなされたものであり、その目的は、画面分割することなく、返信メール作成時に、受信メール表示画面を確認できるような複数の情報を容易に確認できる携帯端末装置を提供することにある。
【課題を解決するための手段】
【００１０】
本発明に係る携帯端末装置は、上記課題を解決するために、電子メール送受信に代表される各種アプリケーションプログラムのうち、少なくとも１種類のアプリケーションプログラムが実行可能な携帯端末装置において、表示画面における視野角が所定の角度以上である広視野角表示モードと、表示画面における視野角が所定の角度未満である狭視野角表示モードとの２種類の表示モードを切り替えて表示可能な表示部と、実行されるアプリケーションプログラムの種類に応じて上記表示部の表示モードを決定する表示モード決定部と、上記実行されるアプリケーションプログラムに応じた情報を、上記表示モード決定部によって決定された表示モードに基づいて、上記表示部の、正面方位から視認される表示画面と、側面方位から視認される表示画面とに表示させる表示制御部とを備えていることを特徴としている。
【００１１】
上記の構成によれば、実行されるアプリケーションプログラムに応じた情報が、表示部の正面方位及び側面方位から視認される表示画面にそれぞれ表示されるようになるので、表示部の表示画面を分割することなく複数の情報を視認可能にできる。
【００１２】
この場合、ユーザは、見る方向を正面方位から側面方位に変えるだけで、簡単に、側面方位の表示画面を視認することができるという効果を奏する。
【００１３】
上記のにような場合、狭視野角表示モードである場合には、正面方位と側面方位とで異なる情報を表示させ、広視野角表示モードである場合には、正面方位と側面方位とで同じ情報を表示させるようにすることが考えられる。
【００１４】
つまり、上記表示制御部は、上記表示モード決定部によって決定された表示モードが狭視野角表示モードであるときに、正面方位から視認される表示画面と、側面方位から視認される表示画面とに表示させる情報を異ならせるようにしてもよい。
【００１５】
この場合、上記表示制御部は、上記表示モード決定部によって決定された表示モードが狭視野角表示モードであるときに、正面方位から視認される表示画面と、側面方位から視認される表示画面とに表示させる情報を異ならせるようにすることで、アプリケーションプログラム実行中に正面方位の表示画面にメインとなる情報を表示させ、側面方位の表示画面にサブとなる情報を表示させることが可能となる。
【００１６】
さらに、アプリケーションプログラムから、正面方位の表示画面に表示させる情報と、側面方位の表示画面に表示させる情報とを分離する情報分離部が設けられ、上記表示制御部は、上記情報分離部によって分離された情報を、上記表示モード決定部によって決定された表示モードに基づいて、正面方位の表示画面または側面方位の表示画面に振り分けて表示させるようにしてもよい。
【００１７】
例えば、アプリケーションプログラムとして、インターネット接続プログラムを起動した場合、メインとなる正面方位の表示画面（メイン画面）には、ＷＷＷ（World Wide Web）上のホームページを表示させ、サブとなる側面方位の表示画面（サブ画面）には、メイン画面に表示されているホームページのＵＲＬ（Uniform Resource Locator）を表示させる。
【００１８】
また、アプリケーションプログラムとして、電子メール送受信プログラムを起動した場合であって、受信した電子メールに対して返信用の電子メールを作成するとき、メイン画面には、返信用の電子メール作成画面を表示させ、サブ画面には、受信した電子メール画面を表示させる。
【００１９】
さらに、アプリクーションプログラムを実行した場合に、表示させる情報として、画像とテキストとが混在した情報であるとき、メイン画面に画像を表示させ、サブ画面にテキストを表示せる。
【００２０】
さらに、上記表示制御部は、上記表示モード決定部によって決定された表示モードが狭視野角表示モードである場合、正面方位及び側面方位の表示画面に、実行されるアプリケーションプログラムに応じた情報を表示させる第１表示モードと、正面方位の表示画面に、実行されるアプリケーションプログラムに応じた情報を表示させると共に、側面方位の表示画面に、実行されるアプリケーションプログラムとは無関係の情報を表示させる第２表示モードとを切り替えるモード切替手段を含んでいてもよい。
【００２１】
この場合、第２表示モードでは、実行されるアプリケーションプログラムに応じた情報を、正面方位の表示画面にのみ表示させ、側面方位の表示画面には該アプリケーションプログラムに無関係の情報を表示させるようになっているので、第三者にはユーザが実行しているアプリケーションプログラムを把握することができない。よって、この第２表示モードを、プライバシーを守るためのプライバシーモードとすればよい。
【００２２】
なお、本願の側面方位とは左右方向に限られるものでなく、例えば上下方向や微小に角度を設けた方向（斜め方向）も含まれる。
【発明の効果】
【００２３】
本発明に係る携帯端末装置は、以上のように、表示画面における視野角が所定の角度以上である広視野角表示モードと、表示画面における視野角が所定の角度未満である狭視野角表示モードとの２種類の表示モードを切り替えて表示可能な表示部と、実行されるアプリケーションプログラムの種類に応じて上記表示部の表示モードを決定する表示モード決定部と、上記実行されるアプリケーションプログラムに応じた情報を、上記表示モード決定部によって決定された表示モードに基づいて、上記表示部の、正面方位から視認される表示画面と、側面方位から視認される表示画面とに表示させる表示制御部とを備えていることで、ユーザは、見る方向を正面方位から側面方位に変えるだけで、簡単に、側面方位の表示画面を視認することができるという効果を奏する。
【発明を実施するための最良の形態】
【００２４】
本発明の一実施の形態について説明すれば、以下の通りである。なお、本実施の形態では、本発明の携帯端末装置を携帯電話機に適用した例について説明する。
【００２５】
図２は、本実施の形態に係る携帯電話機（携帯端末装置）１の外観を示している。上記携帯電話機１は、いわゆるクラムシェル型であり、同図に開いた状態で示されている。同図（ａ）は、携帯電話機１を閉じたときに内側となる部分であり、携帯電話機１を開いたときにユーザが主に利用する側である。そこで、本願では同図（ａ）に示される側を前面側とする。また、同図（ｂ）は、携帯電話機１を閉じたときに外側となる部分であり、携帯電話機１を開いたときに同図（ａ）の側と反対側となる。そこで、本願では同図（ｂ）に示される側を背面側とする。
【００２６】
上記携帯電話機１は、図２に示すように、本体２と、蓋体３とからなり、本体２と蓋体３とはヒンジ状に連結している。蓋体３には、前面側にメイン画面４が設けられ、背面側にサブ画面５が設けられている。なお、同図には示していないが、蓋体３内にはアンテナが設けられている。
【００２７】
本体２には、前面側にメイン操作ボタン群（操作部）６が設けられている。メイン操作ボタン群６は、携帯電話機１における各種設定や機能切替を行うための機能ボタン群７と、数字や文字などの記号を入力するための入力ボタン群（入力手段）８とから構成されている。
【００２８】
具体的には、上記機能ボタン群７は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、上記入力ボタン群８は、テンキーである。なお、本体２の背面側には、カメラ９が設けられている。
【００２９】
本実施形態の携帯電話機１は、メイン画面４の視野角を制御して、広視野角モード（広視野角表示モード）および狭視野角モード（狭視野角表示モード）の何れか一方から他方に切り替える機能を有する。この視野角モードの切替は、ユーザが所定の操作ボタンを操作することにより実行できる。
【００３０】
上記狭視野角モード（複数画面表示モード）とは、メイン画面４において、周囲からメール本文や撮影画像が見えなくなるモードをいう。具体的には、狭視野角モードとは、表示画面における視野角が所定の角度未満である表示モードを言う。なお、本願発明では、狭視野角モードにおいても、正面方位から視認できるメイン画面４の表示内容と、側面方位から視認できるメイン画面４の表示内容とを異ならせるようにもできる。この場合も、メインとなる正面方位のメイン画面４の表示内容については周囲からは見えないようになっている。
【００３１】
また、上記広視野角モードとは、どの角度から見てもメイン画面４の表示が見えるモード（単一画面表示モード）をいう。具体的には、表示画面における視野角が所定の角度以上である表示モードを言う。
【００３２】
これら狭視野角モードと広視野角モードとは、ユーザが操作ボタン等によって任意に設定変更できる。なお、携帯電話機１において起動するアプリケーションに応じて広視野角モードと狭視野角モードとを自動的に切り替えるようにしてもよい。例えば、携帯電話機１のカメラが起動した場合、広視野角モードに自動的に設定し、入力ボタン群８を操作した場合、狭視野角モードに自動的に設定する。
【００３３】
ここで、図３は、広視野角モードに設定されたときのメイン画面４の見え方を示した図であり、図４及び図５は、狭視野角モードに設定されたときのメイン画面４の見え方を示した図である。
【００３４】
図３に示すように、広視野角モードでは、観察者３１がメイン画面４を真正面から見た場合も（正面方位）、観察者３３が正面よりメイン画面４に向かって右側となる斜め前から見た場合も（右側面方位）、観察者３２が正面よりメイン画面４に向かって左側となる斜め前から見た場合も（左側面方位）、メイン画像（ここでは、メール作成画面）が視認される。
【００３５】
一方、本願における狭視野角モードは、正面方位と側面方位のそれぞれに異なる画像を表示する複数画面モードであり、図４に示すように、観察者３１が正面方位ではメイン画像(メール作成画面)が視認されるが、観察者３３の居る右側面方位あるいは観察者３２の居る左側面方位からは、別の画像（サブ画像）が視認される。この例では、サブ画像として、メール受信画面を採用している。
【００３６】
つまり、狭視野角モードにおいて、観察者は正面方位からメイン画面４を見た場合には、メール作成画面が視認でき、側面方位からメイン画面４を見た場合には、メール受信画面が視認できる。
【００３７】  また、側面方位から第三者に覗かれたくない場合には、図５に示すように、側面方位には覗かれてもよい画像、ここでは”（公序良俗違反につき、不掲載）”というロゴを表示させるようにする。この場合の狭視野角モードをプライバシーモードとする。【００３８】
このように、同じメイン画面４であっても、狭視野角モードでは、正面方位と側面方位とでは表示する画像を異なるようにしている。これを実現するための表示装置の詳細については、後述する。
【００３９】
図４に示すような表示モードのときには、以下のような表示例が考えられる。
【００４０】
例えば、アプリケーションプログラムとして、インターネット接続プログラムを起動した場合、メインとなる正面方位の表示画面（メイン画面）には、ＷＷＷ（World Wide Web）上のホームページを表示させ、サブとなる側面方位の表示画面（サブ画面）には、メイン画面に表示されているホームページのＵＲＬ（Uniform Resource Locator）を表示させる。
【００４１】
また、アプリケーションプログラムとして、電子メール送受信プログラムを起動した場合であって、受信した電子メールに対して返信用の電子メールを作成するとき、メイン画面には、返信用の電子メール作成画面を表示させ、サブ画面には、受信した電子メール画面を表示させる。
【００４２】
さらに、アプリクーションプログラムを実行した場合に、表示させる情報として、画像とテキストとが混在した情報であるとき、メイン画面に画像を表示させ、サブ画面にテキストを表示せる。
【００４３】
次に、携帯電話機１の詳細な構成について図１および図６に基づいて説明する。図６は、携帯電話機１の概略構成を示している。携帯電話機１は、アンテナ部１０、無線処理部１１、音声処理部１２、音声入力部１３、音声出力部１４、データ処理部１５、操作部（操作手段）１６、記憶部１７、メイン表示部（表示部）１８、サブ表示部１９、電源部２０、および制御部（表示制御部）２１を備える構成である。
【００４４】
上記アンテナ部１０は、電波を外部に送り出すとともに外部から電波を受け取るためのものである。具体的には、アンテナ部１０は、８００ＭＨｚ帯または１．５ＧＨｚ帯の携帯電話機用電波を送受するためのものである。
【００４５】
上記無線処理部１１は、音声処理部１２またはデータ処理部１５から受信したデータを無線送信に適した形式に変換し、変換した無線信号を、アンテナ部１０を介して外部に送信するものである。また、無線処理部１１は、外部からアンテナ部１０を介して受信した無線信号を元の形式に変換し、変換したデータを音声処理部１２またはデータ処理部１５に送信するものである。具体的には、無線処理部１１では、チャネルコーデック処理、ベースバンド信号処理、データの変復調処理、ＲＦ（Radio Frequency）処理などが行われる。
【００４６】
上記音声処理部１２は、音声入力部１３からの音声信号を所定の音声データに変換して無線処理部１１に送信するとともに、無線処理部１１からの音声データを音声信号に変換して音声出力部１４に送信するものである。具体的には、音声処理部１２は、Ａ／Ｄ変換器、Ｄ／Ａ変換器、アンプ、音声コーデック回路を備える構成である。
【００４７】
上記音声入力部１３は、外部から入力された音波を、電気信号である音声信号に変換して音声処理部１２に送信するものである。具体的には、音声入力部１３はマイクロホンを備える構成である。
【００４８】
上記音声出力部１４は、音声処理部１２からの音声信号を音波に変換して外部に出力するものである。具体的には、音声出力部１４は、スピーカやイヤホンを備える構成である。通常、携帯電話機１では、通話を行う場合にはイヤホンが利用され、着信の報知を行う場合にはスピーカが利用される。
【００４９】
なお、電話機の場合、音声入力部１３に入力するユーザの音声が音声出力部１４から聞こえることが望ましい。このため、音声処理部１２は、音声入力部１３からの音声信号を所定の音量レベルに調整した後、音声出力部１４に送信することが望ましい。
【００５０】
上記データ処理部１５は、制御部２１からのデータを所定形式のデータに符号化して無線処理部１１に送信するとともに、無線処理部１１からのデータを復号化して制御部２１に送信するものである。データ処理部１５で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００５１】
上記操作部１６は、携帯電話機１の表面に設けられたメイン操作ボタン群６などの入力デバイスをユーザが操作することにより、操作データを作成して制御部２１に送信するものである。入力デバイスとしては、ボタンスイッチの他にタッチパネルなどが挙げられる。本実施形態では、操作部１６は、所定のボタンをユーザが操作することにより、視野角の変更を指示する操作データを作成し、制御部２１に送信するようになっている。
【００５２】
上記記憶部１７は、各種データおよびプログラムを記憶するものである。記憶部１７の例としては、制御部２１が動作する際に必要なプログラム、通信制御データ等の固定データを記憶する読出し専用の半導体メモリであるＲＯＭ（Read Only Memory）と、バーコード認識や通信に関するデータ、演算に使用するデータ及び演算結果等を一時的に記憶するいわゆるワーキングメモリとしてのＲＡＭ（Random Access Memory）とが挙げられる。
【００５３】
上記メイン表示部１８およびサブ表示部１９は、制御部２１から画像データを受信し、受信した画像データに基づいて画像を表示するものである。具体的には、メイン表示部１８およびサブ表示部１９は、ＰＤＰ（Plasma Display Panel）、ＬＣＤ、ＥＬ（Electroluminescence）ディスプレイなどの表示素子と、受信した画像データに基づいて表示素子を駆するドライバ回路とを備える構成である。
【００５４】
なお、画像には、絵や図形の他、文字も含まれ、また、静止画および動画も含まれる。
【００５５】
本実施形態では、メイン表示部１８は、制御部２１から視野角制御データを受信し、受信した視野角制御データに基づいて視野角を変更する機能を有するものである。なお、サブ表示部１９が視野角を変更する機能を有しても良い。
【００５６】
電源部２０は、携帯電話機１内の各種構成に適当な電力を供給するものである。電源部２０は、例えば、リチウムイオン電池などの充電可能な２次電池、電源回路などによって構成される。
【００５７】
上記制御部２１は、携帯電話機１内の各種構成を統括的に制御するものである。制御部２１の機能は、例えばＲＡＭ やフラッシュメモリなどの記憶装置に記憶されたプログラムをＣＰＵ（Central Processing Unit）が実行することによって実現される。
【００５８】
図１は、上記のメイン表示部１８および制御部（表示制御部）２１の概略構成を示したブロック図である。
【００５９】
上記メイン表示部１８は、画像表示部４７および視野角変更・表示部４８を備えた構成である。上述のように、画像表示部４７は、制御部２１からの画像データに基づいて画像を表示するものである。視野角変更・表示部４８は、制御部２１からの視野角変更・表示データに基づいて上記画像表示部４７における視野角を変更して表示させるものである。
【００６０】
上記制御部２１は、表示モード指示取得部（表示モード決定部）４１、アプリケーション実行部４２ 、表示情報検知部４３、複数画面表示制御部４４、画像表示制御部４５、視野角変更・表示制御部４６を備え、実行されるアプリケーションプログラムに応じた情報を、表示モード指示取得部４１によって決定された表示モードに基づいて、上記メイン表示部１８の、正面方位から視認される表示画面４及び側面方位から視認される表示画面４に表示させるようになっている。
【００６１】
上記表示モード指示取得部４１は、操作部１６からの指示情報と、記憶部１７に記憶された表示モード情報と、上記表示情報検知部により検知結果とに基づいて、表示モードを決定する。決定された表示モードは、複数画面表示制御部４４に通知される。ここで決定される表示モードは、単一画面表示モード、複数画面表示モード（通常モード、プライバシーモード）の３つの表示モードをいう。
【００６２】
上記アプリケーション実行部４２は、電子メールソフトウェア、画像閲覧ソフトウェアなどの各種のアプリケーションを実行するものである。アプリケーション実行部４２は、実行中のアプリケーション情報を表示情報検知部４３に通知する。なお、この場合もアプリケーション実行部４２は、操作部１６からの指示に応じたアプリケーションを実行するものとする。
【００６３】
上記表示情報検知部４３は、アプリケーション実行部４２からのアプリケーション情報から表示モードに関する情報を検知し、上記表示モード指示取得部４１に通知するようになっている。
【００６４】
上記複数画面表示制御部４４は、表示モード指示取得部４１によって決定された表示モードに応じた表示状態にするための制御信号を、後段の画像表示制御部４５及び視野角変更・表示制御部４６に通知するようになっている。この複数画面表示部４４は、アプリケーションプログラムから、正面方位の表示画面に表示される情報と、側面方位の表示画面に表示される情報とを分離する情報分離部としての機能を有する。
【００６５】
また、上記複数画面表示制御部４４は、上記表示モード決定部である表示モード指示取得部４１によって決定された表示モードが狭視野角表示モードである場合、正面方位及び側面方位の表示画面に、実行されるアプリケーションプログラムに関連した情報を表示させる第１表示モードと、正面方位の表示画面に、実行されるアプリケーションプログラムに関連した情報を表示させると共に、側面方位の表示画面に、実行されるアプリケーションプログラムに関連しない情報を表示させる第２表示モードとを切り替えるモード切替手段としての機能も有している。
【００６６】
上記画像表示制御部４５は、複数画面表示制御部４４からの制御信号と、各種デバイスまたは制御部２１ 内の各種ブロックから受信した画像データとに基づいて、画像表示部４７を制御し、メイン画面４の表示を制御するものである。
【００６７】
上記視野角変更・表示制御部４６は、複数画面表示制御部４４からの制御信号に基づいて、視野角変更・表示部４８を制御するものである。
【００６８】
具体的には、上記画像表示制御部４５及び上記視野角変更・表示制御部４６は、上記実行されるアプリケーションプログラムに応じた情報を、上記表示モード決定部によって決定された表示モードに基づいて、上記メイン表示部１８の、正面方位から視認される表示画面と、側面方位から視認される表示画面とに表示させる表示制御部としての機能を備えている。
【００６９】
ここで、上記メイン表示部１８の詳細な構成について以下に説明する。
【００７０】
上記メイン表示部１８の断面図を図７に示す。上記メイン表示部１８は、第２偏光板１１１、スイッチング液晶表示部（以下ＳＷ−ＬＣＤと称する）１１２、第１偏光板１１３、メイン液晶表示部（以下メインＬＣＤと称する）１１４、第３偏光板１１５をこの順に積層させてなり、第３偏光板側にバックライト１１６が設置されている。
【００７１】
ここで、第１偏光板１１３の偏光透過軸と第２偏光板１１１の偏光透過軸の関係は、平行に設定することが望ましいが、メインＬＣＤ の特性の要求にしたがって、第１偏光板１１３は任意の軸角度を持つ可能性がある。
【００７２】
この場合には、任意の軸角度に設定されている第１偏光板１１３を出射する直線偏光を、適宜λ／２板などで、第２偏光板１１１の透過軸と一致するように偏光方向を回転させることで、第１偏光板１１３の偏光透過軸と第２偏光板１１１の偏光透過軸とが平行に設定されているときと、同様の効果を得ることができる。
【００７３】
なお、第２偏光板１１１はＳＷ−ＬＣＤ１１２に貼り付けられ、第１偏光板１１３と第３偏光板１１５とは、メインＬＣＤ１１４の両表面に貼り付けられており、ＳＷ−ＬＣＤ１１２の第２偏光板１１１が貼り付けられていない側とメインＬＣＤ とが、第１偏光板１１３を介して接着部１１７により接着されている。そして、第２偏光板１１１がＳＷ−ＬＣＤ１１２に貼り付けられたものが視野角制御装置として機能する。また、接着部１１７は、熱硬化型や紫外線硬化型の樹脂系接着剤により接着しても良いし、いわゆる両面テープにより固定してもかまわない。又、貼付け領域は、全面接着でも良いし、例えば枠状など部分接着でもかまわない。
【００７４】
メインＬＣＤ１１４は、透明電極基板１４１ ・１４２の間に液晶層１４３ が封入されており、図示しない制御部にしたがって透明電極基板１４１・１４２に電圧を印加することで、液晶層１４３の液晶分子の配向を変化させて、画像を表示する。メインＬＣＤ１１４は、図示しない制御部によって、携帯電話機１の操作画面や写真、メール本文などの画像を表示するように制御されている。メインＬＣＤ１１４としては、一般的に知られている液晶表示装置を用いればよい。例えば、アクティブマトリックス駆動方式で駆動されるＴＮ（Twisted Nematic）モードの液晶表示装置やＶＡ（Vertical alignment）モードの表示方式の液晶表示装置等、任意のモードの液晶表示装置を用いることができる。また、メイン液晶表示部１１４の代わりに、有機ＥＬ（Electroluminescence）表示装置やプラズマ表示装置のように自発光型のディスプレイを用いてもよい。なお、自発光型の場合は、バックライトは不要である。
【００７５】
ＳＷ−ＬＣＤ１１２ は、基板１２１、透明電極膜１２６、配向膜１２４、液晶層１２３、配向膜１２５、透明電極膜１２７、基板１２２、がこの順に形成されている。液晶層１２３の液晶分子は、配向膜１２５、１２７に応じて初期の配向方向が決まり、さらに、透明電極膜１２６、１２７への、図示しない制御部からの電圧印加により、配向方向が変化する。そして、この配向方向の変化により、狭視野角モードと広視野角モードとを切り替える。
【００７６】
上記基板１２１・１２２の間に液晶層１２３が配されており、図示しない制御部にしたがって透明電極膜１２６・１２７に電圧を印加することで、液晶層１２３の液晶分子の配向を変化させて、画像を表示する。制御部は、使用者の設定した広視野角モード、あるいは、狭視野角モードによって、液晶層１２３の液晶分子の配向方向を、広視野角モード用あるいは狭視野角モード用の配向方向に変更する。なお、配向膜１２４・１２５は何れか一方だけ設けてもよい。
【００７７】
バックライト１１６は、表示のための光を供給する。第３偏光板１１５は、メインＬＣＤ１１４に入る前のバックライト１１６の光から一定方向の直線偏光を取り出す。第１偏光板１１３は、メインＬＣＤ１１４を透過し、ＳＷ−ＬＣＤ１１２に入射する前の光から一定方向の直線偏光を取り出す。第２偏光板１１１は、メインＬＣＤ１１４およびＳＷ−ＬＣＤ１１２を透過したバックライト光から一定方向の直線偏光を取り出す。
【００７８】
以下にＳＷ−ＬＣＤにおける液晶分子の配向変化について図８及び図９を参照しながら、４つのＳＷ−ＬＣＤの液晶分子配向例を説明する。
【００７９】
図８（ａ）は携帯電話機１のメイン表示部１８のメイン画面を、メイン−ＬＣＤ１１４の画像の上下方向が紙面の上下となるように示したものである。なお、以下、表示画面上の左右方向をｘ方向、上下方向をｙ方向、メイン表示部１８の厚さ方向をｚ方向と言う。また、図８及び図９では、透明電極膜１２６ 、１２７および配向膜１２４、１２５が配されたものを省略して図示している。
【００８０】
まず、図８（ａ）に示すように、第２偏光板１１１および第１偏光板１１３の偏光透過軸をｙ方向となるように配置する。また、配向膜１２４・１２５のラビング方向を、第１および第２偏光板１１１・１１３の偏光透過軸と平行にし、かつ、互いに１８０度逆方向にして、配向方向をアンチパラレル構造にする。そして、配向膜１２４・１２５として水平配向材のポリイミド材料を使用し、基板１２１・１２２と略平行となるように液晶分子を配向させる。これにより、液晶分子の長軸方向が上記偏光透過軸と略平行になるように一軸配向される。
【００８１】
この場合、図８（ｂ）のＡ−Ａ'断面図に示すとおり、電圧無印加の状態で、ＳＷ−ＬＣＤ１１２の液晶分子は第１偏光板１１３ の偏光透過軸と略平行に一軸配向している。バックライト１１６からメインＬＣＤ１１４を経てＳＷ−ＬＣＤ１１２に入射する光は、第１偏光板１１３を透過するので、ＳＷ−ＬＣＤ１１２に入射する光の偏光方向と液晶分子の配向方向ａは略一致している。
【００８２】
この状態のＳＷ−ＬＣＤ１１２をｘ方向にずれながら見た場合の、液晶分子の見え方を示したのが図８（ｃ）である。同図によると、正面方向から液晶分子を投射した場合の形状（観察者３１から見た液晶分子の形状）が液晶分子３５ａのようになり、長軸方向と入射光の偏向方向が略一致している。液晶分子の投影図の長軸方向と入射光の偏光方向とがなす角度が０度の場合には、入射光は複屈折の影響を受けることなく透過するので、この場合はそのままメインＬＣＤ１１４の画像が見える。同様に、正面からｘ方向にずれた視点から液晶分子を投射した場合の形状（観察者３２、３３から見た液晶分子の形状）も液晶分子３５ｂ、３５ｃのようになり、長軸方向と入射光の偏向方向が略一致している。よって、メインＬＣＤ１１４の画像が見える。つまり、どの方向から見てもメインＬＣＤ１１４の画像が見える。この状態、つまり電圧無印加の状態を広視野角モードとして設定する。
【００８３】
一方、狭視野角モードでは、電圧無印加の状態から、ｘ方向を軸とした回転により液晶分子が基板１２１・１２２に対して４５度傾斜するように、透明電極膜１２５・１２６に交流電圧（例えば、１００Ｈｚ、３Ｖの電圧）をかける。このときの液晶分子の様子を、図９（ａ）（ｂ）に示している。図９（ａ）は、上記Ａ−Ａ’断面を示しており、基板１２１・１２２に対して４５度傾斜していることがわかる。図９（ｂ）は、上記Ｂ−Ｂ’断面を示しており、液晶分子は紙面法線方向から約４５度傾斜している。
【００８４】
この場合、図９（ｂ）に示すように、観察者３１から見た液晶分子、すなわち、正面方向からの液晶分子の投射図が、液晶分子３６ａのようになる。液晶分子の配向変化はｘ軸方向を軸とした回転によるので、第２偏光板１１１と第１偏光板１１３との偏光方向は、液晶分子３６ａの長軸方向と常に一致する。このため、正面方向から見た場合（図９の観察者３１が見た場合）は、複屈折の影響を受けず、そのままメインＬＣＤ１１４の画像が見える。
【００８５】
一方、メイン表示部１８に向かって左側にいる観察者３２から見た液晶分子、すなわち、基板１２１・１２２に向かって左側から投射した液晶分子の投射図は、液晶分子３６ｂ のようになる。この場合、第２偏光板１１１と第１偏光板１１３との偏光方向は、液晶分子投射図（液晶分子３６ｂ）の長軸方向と角度を持つので、液晶分子投射図の長軸方向は入射光の偏光方向と交差角を持つ。よって、観察者３２から見ると、液晶の複屈折の影響でＳＷ−ＬＣＤ１１２を光が透過せず、メインＬＣＤ１１４の画像が見えない。
【００８６】
同様に、メイン表示部１８に向かって右側にいる観察者３３から見た液晶分子、すなわち、基板１２１・１２２に向かって右側からの液晶分子の投射図が、液晶分子３６ｃのようになる。第２偏光板１１１と第１偏光板１１３との偏光方向は、投射図の長軸方向と角度を持つので、液晶分子投射図の長軸方向は入射光の偏光方向と交差角を持ち、偏光方向が回転する。よって、観察者３３から見ると、液晶の複屈折の影響でＳＷ−ＬＣＤ１１２を光が透過せず、メインＬＣＤ１１４ の画像が見えない。
【００８７】
以上のような仕組みにより、透明電極膜１２６・１２７に電圧を印加すると、図５に示すように、メイン画面４を、正面方向から見た場合（観察者３１が見た場合）は、複屈折の影響を受けずそのままメインＬＣＤ１１４の画像が見えるが、正面方向以外から見た場合（観察者３２・３３が見た場合）は、複屈折の影響を受けてＳＷ−ＬＣＤ１１２を光が透過せず、メインＬＣＤ１１４の画像が見えなくなる。
【００８８】
なお、狭視野角モードにおける液晶分子の配向方向は、基板１２１・１２２に対して４５度の傾斜に限られるものではなく、基板１２１・１２２に対して傾斜していればどのような角度の傾斜でもかまわない。つまり、基板１２１・１２２に略平行時の傾斜角度より大きく、略垂直時の傾斜角度より小さければ（つまり、０度より大きく９０度より小さければ）よい。
【００８９】
この傾斜角度としては、好ましくは１０度以上８０度以下であり、より好ましくは４０度以上５０度以下である。これは、傾斜角が４５度に近づくほど複屈折が大きくなり、良好に画像を隠すことができるためである。また、傾斜角が小さいと、駆動電圧が小さくなるので消費電力を低くすることができる。
【００９０】
なお、観察者がｙ方向にずれた場合は、液晶分子の投影図の長軸方向が変化しないので、メインＬＣＤ１１２が視認できるか否かはｘ方向への視点のずれにのみ依存する。したがって、ｙｚ平面（液晶分子上の点が配向方向を変化させる回転により描く平面）と平行な方向からの視線を正面方向からの視線とする。
【００９１】  また、透明電極膜１２６・１２７の一方、または両方について、「（公序良俗違反につき、不掲載）」の白で示されるロゴ部分以外（黒部分）に電極が配置されるように電極パターニングを施されたものを使用する。これにより、少なくとも片方の透明電極膜に電圧が印加されないロゴ部分では、液晶分子に電圧がかからないので、配向方向が電圧無印加時と同じように基板１２１・１２２と略平行となっている。したがって、ロゴ部分だけは、どの方向から見てもＳＷ−ＬＣＤ１４における複屈折の影響を受けない。よって、観察者３２・３３が見る画像は、ロゴ部分以外で光が遮断され、ロゴ部分で光が透過する、図５に示すようなメイン画面４のようなロゴ画像となる。【００９２】
なお、パターン電極は、メインＬＣＤ１１４の画像を隠すと言う目的のためには、メイン表示部１８の６０％以上好ましくは８０％以上を電極で覆うようにすることが好ましい。しかし、単に、メインＬＣＤ１１４の画像にＳＷ−ＬＣＤ１１２の画像が重なるようにすることを目的とする場合は、どのような電極の配分でパターン電極を配置してもよい。
【００９３】
その一例が、図４に示すようなメイン画面４の表示例である。このように、正面方位と側面方位とで異なる画像を表示させるためには、例えば、上記ＳＷ−ＬＣＤ１１２のパターン電極をマトリクス状に設け、さらにこれら電極を駆動する駆動回路を設けることにより単純マトリクス（パッシブ）駆動させて任意の表示パターンの液晶分子の配向状態を変化させ、側面方向への表示を行わせることが考えられる。
【００９４】
この場合、単純マトリクス駆動だけでなく、ＴＦＴ等のアクティブ素子を用いたアクティブ駆動であってもよい。
【００９５】
ここで、上記構成のＳＷ−ＬＣＤを用いて、複数画像表示モードでの、視線方向による透過率の変化を測定した。結果を図１０に示す。
【００９６】
図１０は、液晶分子配向例１のＳＷ−ＬＣＤが複数画像表示モードに設定されているときの測定結果を示すグラフである。測定は、第１偏光板の偏光透過軸が上下方向となるように配置し、メイン表示部１８に対して垂直となる方向（法線方向）からの視線（仰角０度）から目標点を変えず視点を左右にずらして行った。なお、視点は仰角０度から、メイン表示部１８に対して垂直となる方向と視線とがなす角が８０度となるまで（仰角８０度となるまで）ずらし、視線の仰角と、視線から視認されるＳＷ−ＬＣＤの透過率を測定した。グラフの横軸は仰角を示し、縦軸は透過率を示している。また、ＳＷ−ＬＣＤとしては、正面から見た場合のリターデーションが５００ｎｍ、６００ｎｍ、８００ｎｍ、１０００ｎｍ、１５００ｎｍのものを用いて測定した。
【００９７】
これによると、すべて仰角０度で約８５％の最大の透過率を示し、仰角を上げると共に透過率が下がっていった。リターデーション１５００ｎｍのものでは、仰角約３０度で透過率がほぼ０％となり仰角をさらに上げると再び透過率が上昇した。リターデーションが１０００ｎｍのものでは仰角約３８度が、８００ｎｍのものでは仰角約４４度で透過率がほぼ０％となっている。また、リターデーションが６００ｎｍ、５００ｎｍのものでは、それぞれ仰角約５０度、約６０度で最低となり、それ以降仰角を上げても透過率は１０％以下に保たれる。
【００９８】
ＳＷ−ＬＣＤとしては、メインＬＣＤを視認されたくない方向に応じて、または、使用環境、メインＬＣＤの輝度等を考慮して決定される、必要な透過率の低下に応じて、リターデーションを決定すればよい。例えば、仰角４５度程度からの視線に対してメインＬＣＤの画像を隠す場合は、この仰角での透過率が低い、５００ｎｍ 〜１０００ｎｍ のリターデーションを示すＳＷ−ＬＣＤを用いればよい。仰角３０度〜５０度からの視線を中心にメインＬＣＤの画像を隠したい場合は、この範囲で透過率が低い、リターデーション８００ｎｍ〜１０００ｎｍのものを用いればよい。一方、仰角が４０度より大きい範囲からの視線に対してメインＬＣＤの画像を隠したい場合は、この範囲で透過率が低い、リターデーション５００ｎｍ〜６００ｎｍのものを用いればよい。
【００９９】
上記構成の携帯電話機１における表示モードの決定処理の流れについて図１１に示すフローチャートを参照しながら以下に説明する。
【０１００】
まず、複数表示モードかどうかを判断する（ステップＳ１）。ここで、複数表示モードであると判断されれば、ステップＳ２に移行してプライバシーモードかどうかを判断する。ステップＳ１における判断は、アプリケーションプログラムから判断してもよいし、ユーザが操作部１６を操作することによって手動で複数表示モードを設定し、設定されたか否かを判断するようにしてもよい。
【０１０１】
ステップＳ２において、プライバシーモードでないと判断されれば、メイン画面４は、複数画面モードに設定され、正面画面（正面方位の画面）に、正面画面用情報（例えば、メール作成画面）を表示し、横画面（側面方位の画面）に、横画面用情報（例えば、メール受信画面）を表示する（ステップＳ３）。この場合のメイン画面４は、図４に示すようになる。
【０１０２】
また、ステップＳ２において、プライバシーモードであると判断されれば、メイン画面４は、プライバシーモードに設定され、狭視野角モードで、且つ、横画面（側面方位の画面）には他人に見られてもよい情報を表示する（ステップＳ４）。この場合のメイン画面４は、図５に示すようになる。この場合のプライバシーモードの判断は、アプリケーションプログラムから判断してもよいし、ユーザが操作部１６を操作することによって手動でプライバシーモードに設定し、設定されたか否かを判断するようにしてもよい。
【０１０３】
また、ステップＳ１において、複数表示モードでないと判断されれば、単一画面表示モードに設定れ、広視野角モードが実行される（ステップＳ５）。この場合のメイン画面４は、図３に示すようになる。
【０１０４】
具体的な表示モードの決定についての例を以下に示す。
【０１０５】
（１）インターネットからの表示情報を検知した場合（インターネットから情報を取得しようとしたとき）。この場合、デフォルトでは、単一画面表示モードに設定されている。
【０１０６】
複数画面モード選択時には、正面方位の表示画面にメインのホームページ画像、側面方位の表示画面にはＵＲＬを表示する。
【０１０７】
プライバシーモード選択時には、正面方位の表示画面に情報を表示、側面方位の表示画面には見られてもいいような表示を行う。
【０１０８】
単一画面表示モード選択時には、広視野表示を行う。
【０１０９】
（２）メール返信時の場合（“メール返信”操作をした時点で）。この場合、デフォルトでは、複数画面モードに設定されている。
【０１１０】
複数画面モード選択時には、正面方位の表示画面に返信用操作画面、側面方位の表示画面には見るだけの受信画面を表示させる。
【０１１１】
プライバシーモード選択時には、正面方位の表示画面に情報を表示、側面方位の表示画面には見られてもいいような表示を行う。
【０１１２】
単一画面表示モード選択時には、広視野表示を行う。
【０１１３】
（３）画像と文字が混在した画面を表示しようとした場合（表示しようとした時点で）。この場合、デフォルトでは、複数画面モードに設定されている。
【０１１４】
複数画面モード選択時には、正面方位の表示画面に図・表・写真情報を表示、側面方位の表示画面には文字情報を表示する。
【０１１５】
プライバシーモード選択時には、正面方位の表示画面の同一面内に画像と文字を表示、側面方位には見られてもいい表示を行う。
【０１１６】
単一画面表示モード選択時には、正面方位の表示画面の同一面内に画像と文字を表示（広視野表示）を行う。
【０１１７】
なお、本願に採用される技術では、側面方位の表示画面の表示は白黒もしくはカラー偏光板を用いた２色表示となる。そこで、複数の色が用いられる図表写真は正面画像で、白黒表示で情報が伝わる文字情報は横方向画面に表示させる。
【０１１８】
また、文字と画像を分離する方法としては、拡張子による識別方法と、“像域分離”という画像処理方法で識別することができる。
【０１１９】
上記のように、表示制御部に含まれる複数画面表示制御部４４は、上記画像表示制御部４５及び視野角変更・表示制御部４６に対して、上記表示モード指示取得部４１によって決定された表示モードが狭視野角表示モードである場合、正面方位及び側面方位の表示画面に、実行されるアプリケーションプログラムに応じた情報を表示させる第１表示モード（通常の複数画面表示モード）と、正面方位の表示画面に、実行されるアプリケーションプログラムに応じた情報を表示させると共に、側面方位の表示画面に、実行されるアプリケーションプログラムとは無関係の情報を表示させる第２表示モード（プライバシーモード）とを切り替えるための制御信号を送信するようになっている。
【０１２０】
この場合、第２表示モードでは、実行されるアプリケーションプログラムに応じた情報を、正面方位の表示画面にのみ表示させ、側面方位の表示画面には該アプリケーションプログラムに無関係の情報を表示させるようになっているので、第三者にはユーザが実行しているアプリケーションプログラムを把握することができない。
【０１２１】
上記構成の携帯電話機１によれば、実行されるアプリケーションプログラムに応じた情報が、メイン表示部１８の正面方位及び側面方位から視認されるメイン画面４にそれぞれ表示されるようになるので、メイン表示部１８の表示画面を分割することなく複数の情報を視認可能にできる。
【０１２２】
この場合、ユーザは、図４に示すように、見る方向を正面方位から側面方位に変えるだけで、簡単に、側面方位の表示画面を視認することができる。
【０１２３】
なお、本願の側面方位とは左右方向に限られるものでなく、例えば上下方向や微小に角度を設けた方向（斜め方向）も含まれる。
【０１２４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２５】
なお、上記実施形態の携帯端末装置の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読取り、当該プログラムを実行するだけで、本実施形態の携帯端末装置の各種機能および各種処理を実現することができる。また、上記プログラムをリムーバブルな記録媒体に記録することにより、任意のコンピュータ上で上記の各種機能および各種処理を実現することができる。
【０１２６】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１２７】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１２８】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１２９】
また、インターネットを含む通信ネットワークを接続可能なシステム構成であれば、通信ネットワークからプログラムをダウンロードするように流動的にプログラムを担持する記録媒体であることが好ましい。
【０１３０】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１３１】
本発明は、正面方位の表示画面と側面方位の表示画面を使用することから、携帯電話機、ＰＤＡ（Personal Digital Assistants）などの表示部自体が小型の携帯端末装置に適用できる。
【図面の簡単な説明】
【０１３２】
【図１】本発明の実施形態を示すものであり、携帯電話機の要部構成を示すブロック図である。
【図２】上記携帯電話機を開いた状態での外観を示す図であり、同図（ａ）は正面図であり、同図（ｂ）は背面図である。
【図３】本発明の実施形態に係る携帯電話機が単一画像表示モードに設定されているときに、正面あるいは斜め方向から視認されるメイン画面を示す図面である。
【図４】本発明の実施形態に係る携帯電話機が複数画像表示モードの通常モードに設定されているときに、正面あるいは斜め方向から視認されるメイン画面を示す図面である。
【図５】本発明の実施形態に係る携帯電話機が複数画像表示モードのプライベートモードに設定されているときに、正面あるいは斜め方向から視認されるメイン画面を示す図面である。
【図６】上記携帯電話機の概略構成を示すブロック図である。
【図７】図１及び図６に示すメイン表示部の断面図を示す図である。
【図８】上記携帯電話機が単一画像表示モードに設定されているときの表示部を示し、（ａ）は表示部の表示面に向かって見た図面を、（ｂ）はＡ−Ａ’断面を示す断面図を、（ｃ）はＢ−Ｂ’断面を示す断面図である。
【図９】上記携帯電話機が複数画像表示モードに設定されているときの表示部を示し、（ａ）はＡ−Ａ’断面を示す断面図を、（ｂ）はＢ−Ｂ’断面を示す断面図である。
【図１０】上記メイン表示部におけるＳＷ−ＬＣＤにおいて、視線の仰角と透過率との関係を示す図面である。
【図１１】上記携帯電話機における表示モードの決定処理の流れを示すフローチャートである。
【符号の説明】
【０１３３】
１  携帯電話機（携帯端末装置）
４  メイン画面
６  メイン操作ボタン群
１６  操作部
１７  記憶部
１８  メイン表示部
２１  制御部（表示制御部）
３１  観察者
３２  観察者
３３  観察者
４１  表示モード指示取得部（表示モード決定部）
４２  アプリケーション実行部
４３  表示情報検知部
４４  複数画面表示制御部（情報分離部、モード切替手段）
４５  画像表示制御部
４６  視野角変更・表示制御部
４７  画像表示部
４８  視野角変更・表示部
【図１】
2006098556.tif 000003
【図２】
2006098556.tif 000004
【図３】
2006098556.tif 000005
【図４】
2006098556.tif 000006
【図５】
2006098556.tif 000007
【図６】
2006098556.tif 000008
【図７】
2006098556.tif 000009
【図８】
2006098556.tif 000010
【図９】
2006098556.tif 000011
【図１０】
2006098556.tif 000012
【図１１】
2006098556.tif 000013